(57)【要約】【課題】コンパクトな構成でコイル材およびシート材をプレス加工することが可能なプレス装置を提供すること。【解決手段】プレス装置４は、コイル材１００およびシート材１０１の一方の素材を選択的にプレス加工可能なプレス装置４であって、一対のバー５１と、リフト駆動機構５３とを備える。一対のバー５１は、中央部５１ｃと、第１端部５１ａと、第２端部５１ｂと、を有する。中央部５１ｃは、シート材１０１を保持可能である。第１端部５１ａは、素材の搬送方向Ｘにける中央部５１ｃの上流側であって中央部５１ｃと分離可能に連結されている。第２端部５１ｂは、搬送方向Ｘにおける中央部５１ｃの下流側であって中央部５１ｃと分離可能に連結されている。リフト駆動機構５３は、コイル材１００のプレス加工を行う際に、第１端部５１ａを上方の退避位置Ｐ１１に移動させる。【選択図】図３
2018103259.tif 000002
【特許請求の範囲】
【請求項１】
コイル材およびシート材の一方の素材を選択的にプレス加工可能なプレス装置であって、
前記シート材を保持可能な保持部と、前記素材の搬送方向における前記保持部の上流側であって前記保持部と連結および分離可能な第１端部と、前記搬送方向における前記保持部の下流側であって前記保持部と連結および分離可能な第２端部と、を有する一対のバーと、
前記コイル材のプレス加工を行う際に、前記第１端部を上方の第１退避位置に移動させる第１退避機構と、を備えた、
プレス装置。
【請求項２】
前記コイル材のプレス加工を行う際に、前記一対のバーの前記保持部を前記プレス加工が行われる領域の外側の第２退避位置に退避させる第２退避機構を更に備えた、
請求項１に記載のプレス装置。
【請求項３】
前記第２退避機構が設けられ、前記プレス加工が実施されるプレス位置と金型の交換が実施される金型交換位置との間を移動可能なムービングボルスタを更に備え、
前記第２退避機構は、
前記バーの前記保持部を支持する支持部材と、
前記支持部材を前記プレス加工が行われる領域の外側に移動させる支持部材移動機構と、を有する、請求項２に記載のプレス装置。
【請求項４】
上金型が下面に取り付け可能なスライドと、
前記スライドの上方に配置され、前記スライドを昇降可能に支持するクラウンと、
前記クラウンを前記スライドの上方に支持する複数のアプライトと、を更に備え、
前記第２退避位置は、前記搬送方向に対して垂直な幅方向において前記アプライトの内側面よりも外側に位置する、
請求項２に記載のプレス装置。
【請求項５】
前記第１端部の上側に配置されており、前記シート材の搬送の際に前記一対のバーの前記第１端部を上下方向に移動するリフト駆動機構を更に備え、
前記リフト駆動機構は、前記第１退避機構を兼ねており、前記コイル材のプレス加工を行う際に、前記第１端部を上方の前記第１退避位置に移動させる、
請求項１に記載のプレス装置。
【請求項６】
前記第１端部の上側に配置されており、前記シート材の搬送の際に前記一対のバーの前記第１端部を上下方向に移動するリフト駆動機構と、
前記第１端部の上側に配置されており、前記シート材の搬送の際に前記一対のバーの前記第１端部を前記搬送方向および前記上下方向と直交する幅方向に移動するクランプ駆動機構と、を更に備え、
前記第１退避機構は、前記コイル材のプレス加工を行う際に、前記リフト駆動機構および前記クランプ駆動機構を上方に移動させる、
請求項１に記載のプレス装置。
【請求項７】
コイル材およびシート材の一方の素材を選択的にプレス加工可能なプレス装置の制御方法であって、
前記コイル材のプレス加工を行う際に、シート材を保持する保持部と、前記素材の搬送方向における前記保持部の上流側であって前記保持部と連結および分離可能な第１端部と、前記搬送方向における前記保持部の下流側であって前記保持部と連結および分離可能な第２端部と、を有する一対のバーの前記第１端部を上方の第１退避位置に移動させる第１退避ステップと、
前記第１退避ステップが完了すると、前記コイル材を前記プレス装置に供給するフィーダを前記プレス装置に進入させるトリガーとしての信号を発信する発信ステップとを、備えた
プレス装置の制御方法。
【請求項８】
前記コイル材のプレス加工を行う際に、前記一対のバーの前記保持部を前記プレス加工が行われる領域の外側の第２退避位置に退避させる第２退避ステップを更に備えた、
請求項７に記載のプレス装置の制御方法。
【発明の詳細な説明】
【技術分野】
【０００１】
本発明は、プレス装置およびプレス装置の制御方法に関する。
【背景技術】
【０００２】
プレス加工を行うプレス装置として、コイル材が用いられる順送型や、シート材が用いられるトランスファー型が用いられる。
順送型では、アンコイラ、レベラーおよびフィーダ等を有するコイルラインからプレス装置にコイル材が供給される（例えば、特許文献１参照。）。コイルラインでは、アンコイラ装置から送り出されたコイル材がレベラーによって巻き癖を矯正され、フィーダによってプレス装置に間欠送りされる。プレス装置には、複数の金型が装着されており、フィーダによって間欠送りされるコイル材が順に金型でプレス加工される。
【０００３】
また、トランスファー型では、プレス装置に装着された複数の金型にシート材を順次搬送するために、プレス装置内にトランスファフィーダが設けられている（例えば、特許文献２参照。）。
一方、コイル材とシート材の双方を用いることが可能な、トランスファー・順送兼用のプレス装置の要望がある。この場合、コイル材を用いた順送プレス加工を行う際に、コイル材の端末処理を行うためにフィーダがプレス装置内のボルスタの上流近傍まで進入することが要求される。なお、端末処理とは、コイル材の先端のプレス装置への送り込みや、コイル材の末端のプレス装置への送り込みのことである。
【先行技術文献】
【特許文献】
【０００４】
【特許文献１】特開２００６−２２４１６５号公報
【特許文献２】特開２００５−１５３０１６号公報
【発明の概要】
【発明が解決しようとする課題】
【０００５】
しかしながら、上記兼用型のプレス装置では、トランスファバーが設けられているため、トランスファバーと干渉しフィーダをプレス装置内のボルスタの上流近傍まで進入させることが出来なかった。
フィーダをプレス装置内に進入させるためには、アプライト間の幅を広くしてフィードバーをフィーダの外側に退避させることが考えられるが、プレス装置の幅を必要以上に広くすることになり、プレス占有面積が大きくなるとともにコストも増大する。
【０００６】
本発明は、上記従来の課題を考慮し、コンパクトな構成でコイル材およびシート材をプレス加工することが可能なプレス装置およびプレス装置の制御方法を提供することを目的とする。
【課題を解決するための手段】
【０００７】
発明に係るプレス装置は、コイル材およびシート材の一方の素材を選択的にプレス加工可能なプレス装置であって、一対のバーと、第１退避機構とを備える。一対のバーは、保持部と、第１端部と、第２端部と、を有する。保持部は、シート材を保持可能である。第１端部は、素材の搬送方向における保持部の上流側であって保持部と着脱可能である。第２端部は、搬送方向における保持部の下流側であって保持部と着脱可能である。第１退避機構は、コイル材のプレス加工を行う際に、第１端部を上方の第１退避位置に移動させる。
【０００８】
また、他の発明に係るプレス装置の制御方法は、コイル材およびシート材の一方の素材を選択的にプレス加工可能なプレス装置の制御方法であって、第１退避ステップと、発信ステップとを、備える。第１退避ステップは、コイル材のプレス加工を行う際に、シート材を保持する保持部と、素材の搬送方向における保持部の上流側であって保持部と連結および分離可能な第１端部と、搬送方向における保持部の下流側であって保持部と連結および分離可能な第２端部と、を有する一対のバーの第１端部を上方の第１退避位置に移動させる。発信ステップは、第１退避ステップが完了すると、コイル材をプレス装置に供給するフィーダをプレス装置に進入させるトリガーとしての信号を発信する。
【発明の効果】
【０００９】
本発明によれば、コンパクトな構成でコイル材およびシート材をプレス加工することが可能なプレス装置およびプレス装置の制御方法を提供することができる。
【図面の簡単な説明】
【００１０】
【図１】本発明に係る実施の形態のプレスシステムを示す側面図。
【図２】図１のプレスシステムを示す平面図。
【図３】図１のプレス装置およびフィーダユニットを示す側面図。
【図４】図１のディスタッカユニットを搬送方向に沿って視た正面図。
【図５】図１のプレス装置の搬送機構の一対のバーを示す斜視図。
【図６】（ａ）図５のＢＢ´間の矢示断面図、（ｂ）図５のＣＣ´間の矢示断面図、（ｃ）図５のＤＤ´間の矢示断面図。
【図７】図１のプレス装置のボックスの内部構造を示す斜視図。
【図８Ａ】図１のプレス装置においてシート材をプレス加工する際のバーの状態を示す平面模式図。
【図８Ｂ】図１のプレス装置においてコイル材をプレス加工する際のバーの状態を示す平面模式図。
【図８Ｃ】図１のプレス装置におけるダイクランパを説明するための図。
【図８Ｄ】図１のプレス装置においてバーの中央部を支持部材に載置した状態を示す平面模式図。
【図９】図１のプレス装置のバー退避機構を搬送方向に沿って視た断面図。
【図１０】図１〜図３のプレスシステムの動作を示すフロー図。
【図１１】（ａ）〜（ｄ）図１のプレスシステムの動作を説明する模式側面図。
【発明を実施するための形態】
【００１１】
本発明に係る実施の形態におけるプレスシステムについて図面を参照しながら以下に説明する。
＜１．構成＞
（１−１．プレスシステムの構成の概要）
図１は、本発明に係る実施の形態のプレスシステム１の側面図であり、図２は、図１の平面図である。
【００１２】
本実施の形態のプレスシステム１は、順送り型およびトランスファー型の兼用であって、コイルライン２と、ディスタッカユニット３（図２参照）と、プレス装置４と、フィーダユニット移動機構５（図２参照）と、ディスタッカユニット移動機構６と、システム制御部１０と、を主に備えている。
【００１３】
コイルライン２は、コイル材１００（図１参照）をプレス装置４に供給する。ディスタッカユニット３は、シート材１０１（図４参照）をプレス装置４に供給する。プレス装置４は、コイル材１００またはシート材１０１をプレス加工して製品を形成する。プレス装置４には、上金型８ａおよび下金型８ｂから構成される金型８が配置されている。なお、図では省略して記載しているが、プレス装置４には、搬送方向Ｘに沿って複数の金型が配置される。
【００１４】
フィーダユニット移動機構５は、コイル材１００をプレス加工する際には、フィーダユニット２３（後述する）をプレス装置４の上流近傍の使用位置Ｐ３に移動し、シート材１０１をプレス加工する際には、フィーダユニット２３をプレス装置４から離間した退避位置Ｐ４に移動する。
ディスタッカユニット移動機構６は、シート材１０１（後述する）をプレス加工する際には、ディスタッカユニット３をプレス装置４の上流近傍の使用位置Ｐ３に移動し、シート材１０１をプレス加工する際には、ディスタッカユニット３をプレス装置４から離間した退避位置Ｐ５に移動する。
【００１５】
システム制御部１０は、コイルライン２のコイルライン制御部２０と、ディスタッカユニット３のディスタッカ制御部３０と、プレス装置４のプレス制御部４０と信号を送受信しプレスシステム１の全体の制御を行う。また、システム制御部１０は、フィーダユニット移動機構５およびディスタッカユニット移動機構６に対して信号を送受信し制御を行う。
なお、システム制御部１０、コイルライン制御部２０、ディスタッカ制御部３０およびプレス制御部４０は、制御装置９に設けられている。制御装置９は、ＣＰＵ、メモリ、ディスプレイおよび操作部（キーボード、ボタンなど）を有する。
【００１６】
（１−２．コイルライン）
コイルライン２は、アンコイラ２１と、レベラー２２と、フィーダユニット２３と、コイルライン制御部２０と、を有する。アンコイラ２１は、巻き回されたコイル材１００を解きながら送り出す。レベラー２２は、複数のローラ２２１を有しており、ローラ２２１の間を通過するコイル材１００の巻き癖を矯正する。
【００１７】
フィーダユニット２３は、コイル材１００の搬送方向Ｘを基準としてレベラー２２の下流側に配置されている。図３は、プレス装置４およびフィーダユニット２３を示す側面図である。フィーダユニット２３は、フィーダ２４と、フィーダ移動機構２５と、台座２６と、を有する。フィーダ２４は、少なくとも一対のローラ２４１を有し、アンコイラ２１から繰り出されてレベラー２２により矯正されたコイル材１００をプレス装置へと搬送する。レベラー２２とフィーダユニット２３の間のフロアＦには、凹状のループピット２７が形成されており、コイル材１００がループを形成する。このループによってフィーダユニット２３の間欠送りの影響を除き、レベラー２２を連続して運転することができる。台座２６には、フィーダ２４が載置されている。
【００１８】
フィーダ移動機構２５は、台座２６に設けられており、フィーダ２４を搬送方向Ｘに沿って移動する（図３の矢印Ａ１参照）。フィーダ移動機構２５は、フィーダ２４の下側に配置されており、例えば、ボールスクリュー２５１、ナット２５２、およびモータ２５３などを有する。
ナット２５２はボールスクリュー２５１に螺合しており、フィーダ２４に固定されている。ボールスクリュー２５１は搬送方向Ｘに沿って台座２６に回転可能に配置されている。モータ２５３は、ボールスクリュー２５１に連結されており、モータ２５３の回転によりボールスクリュー２５１が回転する。また、図示していないが、レールが搬送方向Ｘに沿って台座２６に固定され、レールとスライド可能に嵌合したブロックがフィーダ２４に固定されている。
【００１９】
ボールスクリュー２５１が回転によりナット２５２が移動することにより、レールに沿ってフィーダ２４が移動し、フィーダ２４が台座２６に対して搬送方向Ｘに沿って移動する。これにより、フィーダ２４の先端がプレス装置４に進入し、ムービングボルスタ４２の上流近傍に位置することができる。図２および図３には、ムービングボルスタ４２の上流近傍に進入した進入位置Ｐ１に配置されているフィーダ２４が実線で示され、プレス装置４から退出した退出位置Ｐ２に配置されているフィーダ２４が二点鎖線で示されている。
コイルライン制御部２０は、システム制御部１０からの信号に基づいて、アンコイラ２１、レベラー２２、およびフィーダ２４（ローラ２４１）の駆動の制御を行う。また、コイルライン制御部２０は、モータ２５３の駆動制御を行ってフィーダ２４を移動させる。
【００２０】
（１−３．フィーダユニット移動機構）
フィーダユニット移動機構５は、図２に示すように、台座２６およびフィーダ２４をプレス装置４の上流近傍の使用位置Ｐ３から、プレス装置４から幅方向Ｙ（クランプ方向ともいう）に離間した退避位置Ｐ４まで移動可能に構成されている（矢印Ａ２参照）。
【００２１】
フィーダユニット移動機構５は、例えば、図２に示すように、ボールスクリュー９１、ナット９２およびモータ９３などを有する。また、図２に示すように、例えば、幅方向Ｙに沿ったレール９４が設けられており、フィーダユニット２３の台座２６の下面にはレール９４に嵌合したブロック２３１が取付けられている。モータ９３の回転によりボールスクリュー９１が回転し、フィーダユニット２３はレール９４に沿って使用位置Ｐ３と退避位置Ｐ４の間を移動する。
【００２２】
ここで、使用位置Ｐ３とは、プレス装置４の上流側近傍の位置であり、使用位置Ｐ３にフィーダユニット２３が配置された状態において、フィーダユニット２３からコイル材１００をプレス装置４に供給できる。退避位置Ｐ４（二点鎖線で示す）とは、後述するシート材１０１をプレス加工する際に、プレス装置４の上流側にディスタッカユニット３を配置するためにフィーダユニット２３が退避する位置である。
なお、フィーダユニット移動機構５は、システム制御部１０によって制御される。具体的には、システム制御部１０は、モータ９３の回転制御などを行う。
【００２３】
（１−４．ディスタッカユニット）
図４は、搬送方向Ｘの上流側からディスタッカユニット３を視た図である。なお、図４では、ディスタッカユニット３は、プレス装置４にシート材１０１を供給するための使用位置Ｐ３に配置されている。また、図４では、ディスタッカユニット３を視認しやすくするためにアプライト４５、ムービングボルスタ４２を点線で示す。
【００２４】
ディスタッカユニット３は、ディスタッカ３１と、ベルトコンベア３２と、台座３３と、ディスタッカ制御部３０とを有する。ディスタッカ３１およびベルトコンベア３２は台座３３の上側に配置されており、後述するディスタッカユニット移動機構６によって台座３３とともに使用位置Ｐ３と退避位置Ｐ５の間を移動する。
ディスタッカ３１は、シート材１０１が積層されたスタックから１枚のシート材１０１を分離してベルトコンベア３２に移動する。ベルトコンベア３２は、幅方向Ｙに沿って配置されており、ディスタッカ３１によって分離されたシート部材をプレス装置４の上流側の位置に搬送する。ベルトコンベア３２にて搬送されたシート材１０１は、図示しないストッパに当接し、所定の位置に位置決めされる。その後、図示しないリフタ装置が、シート材１０１の高さ方向の位置を、金型８の高さに合わせて移動する。
【００２５】
ディスタッカ３１は、吸着パッド３１１と、載置部３２１とを有しており、載置部３２１にシート材１０１が積層されたスタックが配置されている。吸着パッド３１１は、載置部３２１の上方とベルトコンベア３２の上面との間を移動可能に構成されており、吸着したシート材１０１をスタックからベルトコンベア３２の上面に搬送する。なお、載置部３２１の上下位置は移動可能に構成されている。
ディスタッカ制御部３０は、システム制御部１０からの信号に基づいて、吸着パッド３１１の駆動、載置部３２１の上下位置、ベルトコンベア３２の回転駆動、およびリフタ装置の制御を行う。
【００２６】
（１−５．ディスタッカユニット移動機構）
ディスタッカユニット移動機構６は、図２に示すように、ディスタッカユニット３をプレス装置４の上流近傍の使用位置Ｐ３から、プレス装置４から幅方向Ｙに離間した退避位置Ｐ５まで移動可能に構成されている（矢印Ａ３参照）。なお、退避位置Ｐ５は、使用位置Ｐ３を挟んで、フィーダユニット２３の退避位置Ｐ４の反対側に位置する。
【００２７】
ディスタッカユニット移動機構６は、例えば、図２に示すように、ボールスクリュー９５、ナット９６およびモータ９７などを有する。また、図２に示すように、例えば、幅方向Ｙに沿ったレール９８が設けられており、ディスタッカユニット３の台座３３の下面にはレール９８に嵌合したブロック３３１が取付けられている。モータ９７の回転によりボールスクリュー９５が回転し、ディスタッカユニット３はレール９８に沿って使用位置Ｐ３と退避位置Ｐ５の間を移動する。
【００２８】
使用位置Ｐ３にディスタッカユニット３が配置された状態において、ディスタッカユニット３からシート材１０１をプレス装置４に供給できる。退避位置Ｐ５とは、プレス装置４の上流側近傍から退避した位置であり、コイル材１００をプレス加工する際にプレス装置４の上流側にフィーダユニット２３を配置させるためにディスタッカユニット３が退避する位置である。
なお、上述したレール９４とレール９８は繋がっている。
また、ディスタッカユニット移動機構６は、システム制御部１０によって制御される。具体的には、システム制御部１０は、モータ９７の回転制御などを行う。
【００２９】
（１−６．プレス装置）
プレス装置４は、コイルライン２およびディスタッカユニット３の下流側に配置されており、図３に示すように、プレス装置本体４１と、ムービングボルスタ４２と、搬送機構４３と、プレス制御部４０と、バー退避機構４９と、を有する。
【００３０】
（１−６−１．プレス装置本体）
プレス装置本体４１は、ベッド４４と、アプライト４５と、クラウン４６と、スライド４７と、スライド駆動部４８と、を有する。
ベッド４４は、プレス装置４の土台を構成する。アプライト４５は、柱状の部材であり、ベッド４４上に４本配置されている。４本のアプライト４５は、図２に示すように、平面視において矩形状の各頂点を形成するように配置されている。クラウン４６は、４本のアプライト４５によって上方に支持されている。スライド４７は、クラウン４６の下側に吊下されている。
【００３１】
スライド駆動部４８は、クラウン４６に設けられており、スライド４７を昇降移動させる。スライド駆動部４８は、例えば、駆動源としてのサーボモータ、サーボモータの回転を減速する減速機、およびクランク機構などを備えている。クランク機構によってサーボモータの回転運動が上下方向の運動に変換され、スライド４７が上下移動する。
スライド４７の下面には、移動式のダイクランパ８０によって上金型８ａが取り付けられる。
【００３２】
（１−６−２．ムービングボルスタ）
ムービングボルスタ４２は、下金型８ｂが載置される。フロアＦおよびベッド４４には、図示しないレールが敷設されている。ムービングボルスタ４２は、レール上を自走可能な移動機構を有しており、図２に示すように、プレス位置Ｐ６と金型交換位置Ｐ７の間と移動する（矢印Ａ４参照）。プレス位置Ｐ６とは、プレス装置本体４１の内側であってプレス加工が行われる位置である。金型交換位置Ｐ７は、プレス装置本体４１の外側であり金型８の交換が行われる位置である。ムービングボルスタ４２は、金型８を交換する際には、アプライト４５の間を通って幅方向Ｙに移動し、金型交換位置Ｐ７に配置される。
【００３３】
（１−６−３．搬送機構）
図５は、シート材１０１をプレス加工する場合における搬送機構４３の一対のバー５１を示す斜視図である。図６（ａ）は、図５のＢＢ´間の矢示断面図であり、図６（ｂ）は、図５のＣＣ´間の矢示断面図である。図６（ｃ）は、図５のＤＤ´間の矢示断面図である。図７は、搬送機構４３のボックス５２（５２ａ、５２ｂ）の内部構成を示す斜視図である。
搬送機構４３は、トランスファフィーダであり、一対のバー５１と、ボックス５２（５２ａ、５２ｂ）と、リフト駆動機構５３と、クランプ駆動機構５４と、フィード駆動機構５５と、を有する。
【００３４】
（ａ．バーおよびフィード駆動機構）
一対のバー５１は、シート材１０１をプレス加工する際に、アプライト４５の内側であってムービングボルスタ４２の上方に、搬送方向（フィード方向）Ｘに沿って互いに平行に配置されている。
【００３５】
各々のバー５１は、略四角柱形状の部材であり、図３に示すように、３つに分割可能に構成され、搬送方向Ｘの上流側の第１端部５１ａと、搬送方向Ｘの下流側の第２端部５１ｂと、中央部５１ｃ（保持部の一例）とを有する。第１端部５１ａは、ボックス５２ａ内に配置されたリフト駆動機構５３（詳しくは後述する）に支持されており、第２端部５１ｂは、ボックス５２ｂ内に配置されたリフト駆動機構５３に支持されている。中央部５１ｃは、第１端部５１ａおよび第２端部５１ｂと着脱可能である。なお、第１端部５１ａは、上流側のアプライト４５の間に配置されており、第２端部５１ｂは、下流側のアプライト４５の間に配置されている。
【００３６】
バー５１の中央部５１ｃは、シート材１０１を搬送するために設けられており、その上面には、シート材１０１およびシート材１０１から形成されているワークを保持するフィンガー１０２が着脱可能に取り付けられている。
フィード駆動機構５５は、各々のバー５１の第２端部５１ｂに設けられている。フィード駆動機構５５は、図６（ｂ）に示すように、支持プレート５５１と、リニアモータ５５３とを有している。
【００３７】
支持プレート５５１は、Ｕの字形状の部材であって、第２端部５１ｂの下側を覆うように設けられている。支持プレート５５１は、ボックス５２ｂ内に配置されたリフト駆動機構５３の２本のリフトバー５３１ａ（後述する）の上端に固定されている。支持プレート５５１は、その両側壁の内側にガイドホルダ５５１ａを有している。第２端部５１ｂの側面には搬送方向Ｘに沿ってガイドレール５１１ｂが設けられている。ガイドレール５１１ｂにガイドホルダ５５１ａが嵌合することにより、第２端部５１ｂは、支持プレート５５１に対して搬送方向Ｘに移動可能に構成される。
【００３８】
リニアモータ５５３は、主に、支持プレート５５１の内側底面に配置されたコイル５５３ａと、第２端部５１ｂの下面に配置されたマグネット板５５３ｂを有している。コイル５５３ａとマグネット板５５３ｂは対向配置されており、コイル５５３ａに電流を流すことにより、コイル５５３ａとマグネット板５５３ｂとの間に吸引もしくは反発する力が発生し、第２端部５１ｂが支持プレート５５１に対してフィード方向に移動する。
【００３９】
第２端部５１ｂにフィード駆動機構５５が設けられており、第２端部５１ｂは中央部５１ｃと接続されている。これにより、第２端部５１ｂの搬送方向Ｘ方向の移動に伴って中央部５１ｃも移動し、中央部５１ｃに取り付けられているフィンガー１０２によって保持されているシート材１０１を搬送方向Ｘに移動することができる。
なお、第１端部５１ａには、図６（ｃ）に示すように、支持プレート５５２が設けられている。支持プレート５５２は、逆Ｕの字形状の部材であって、第１端部５１ａの上側を覆うように設けられている。支持プレート５５２はボックス５２ａ内に配置されたリフト駆動機構５３の２本のリフトバー５３１ａ（後述する）の下端に固定されている。支持プレート５５２は、その両側壁の内側にガイドホルダ５５２ａを有している。第１端部５１ａの側面には搬送方向Ｘに沿ってガイドレール５１１ｃが設けられている。ガイドレール５１１ｃにガイドホルダ５５２ａが嵌合することにより、第１端部５１ａは、支持プレート５５１に対して搬送方向Ｘに移動可能に構成される。
以上のように、バー５１は、第１端部５１ａと中央部５１ｃと第２端部５１ｂを有し、第２端部５１ｂに設けられているフィード駆動機構５５によりスライドプレート５１２がフィード方向に移動する。
【００４０】
（ｂ．ボックス）
ボックス５２ａは、図３に示すように、プレス位置Ｐ６に配置されているときのムービングボルスタ４２の搬送方向Ｘの上流側に配置されている。ボックス５２ｂは、プレス位置に配置されているときのムービングボルスタ４２の搬送方向Ｘの下流側に配置されている。ボックス５２ａは、第１端部５１ａの上側であって、上流側の２本のアプライト４５に渡って固定されたフレーム部材７０（図４参照）に固定されている。ボックス５２ｂは、第２端部５１ｂの下側であってベッド４４上に配置されている。
【００４１】
図７は、ボックス５２ａおよびボックス５２ｂの内部構造を示す斜視図である。ボックス５２ｂの構成は、ボックス５２ａの構成を上下逆にしたものであるため、ボックス５２ａの内部構造について説明し、ボックス５２ｂの内部構造の説明については省略する。
リフト駆動機構５３およびクランプ駆動機構５４は、ボックス５２ａ、５２ｂの各々に設けられている。
【００４２】
（ｃ．リフト駆動機構）
リフト駆動機構５３は、２つのバー本体部５１１のそれぞれに固定されたリフトキャリア５３１と、リフトキャリア５３１を支持するリフトビーム５３２と、リフトビームを上下させるリフトモータ５３３と、バランサーとしてのエアシリンダ５３４とを有している。
【００４３】
リフトキャリア５３１は、所定の間隔を空けてバー本体部５１１に固定された２本のリフトバー５３１ａを有している。一対のリフトバー５３１ａが、幅方向Ｙに２組配置されている。一対のリフトバー５３１ａは、第１端部５１ａを搬送方向Ｘにスライド可能に支持している支持プレート５５２の上面に固定されている。
リフトビーム５３２は、幅方向Ｙに沿って配置された棒状の部材であり、一対のリフトバー５３１ａの間に配置されている。リフトビーム５３２の左右端部における搬送方向Ｘの両側面には、幅方向Ｙに沿ってレール部材５３２ａが設けられている。リフトバー５３１ａには、レール部材５３２ａを上下方向から挟むようにローラ（図示せず）が設けられている。これによりリフトキャリア５３１は、レール部材５３２ａに沿ってリフトビーム５３２に支持されながら幅方向Ｙに移動できる。
【００４４】
リフトビーム５３２は、ボックス５２ａの上面に回転可能に取り付けられている２つのスクリュー５３５によって下方から支持されている。スクリュー５３５は、ベルト５３６を介してリフトモータ５３３によって回転する。スクリュー５３５を回転させることにより、リフトビーム５３２が上下方向Ｚに移動するので、リフトキャリア５３１に固定されている第１端部５１ａも上下方向Ｚに移動する。
【００４５】
エアシリンダ５３４は、幅方向Ｙに２つ設けられている。エアシリンダ５３４は、シリンダ部５３４ａとロッド５３４ｂを有しており、シリンダ部５３４ａがボックス５２ａの上面に固定されており、ロッド５３４ｂの下端がリフトビーム５３２に固定されている。これらエアシリンダ５３４は、バー５１、リフトビーム５３２、リフトキャリア５３１などの重量をバランスさせるために設けられている。
【００４６】
（ｄ．クランプ駆動機構）
クランプ駆動機構５４は、主に、一対のクランプキャリア５４１と、ボールねじ５４２と、クランプモータ５４３などを有している。
クランプキャリア５４１は、幅方向Ｙに配置された２つのリフトキャリア５３１のそれぞれに固定されている。
【００４７】
ボールねじ５４２は、幅方向Ｙに沿って配置されており、幅方向Ｙ両端においてクランプキャリア５４１に挿嵌されている。ボールねじ５４２は、２つのクランプキャリア５４１のそれぞれに挿嵌されている部分において反対向きにねじが形成されており、ボールねじ５４２の一方向への回転により２つのクランプキャリア５４１は幅方向Ｙの内側に向いて移動し、他方向への回転により２つのクランプキャリア５４１は幅方向Ｙの外側に向いて移動する。
【００４８】
ボールねじ５４２には、プーリ５４４が固定されており、プーリ５４４とクランプモータ５４３がベルト５４５を介して連結されている。すなわち、クランプモータ５４３を駆動することにより、プーリ５４４およびボールねじ５４２が回転してクランプキャリア５４１が幅方向Ｙの内側または外側に移動する。クランプキャリア５４１はリフトキャリア５３１を介してバー５１と接続されているため、２つのクランプキャリア５４１のクランプ方向Ｙの内側または外側の移動により、バー５１もクランプ方向Ｙの内側または外側に移動する。
なお、ボックス５２ｂの内部構成は、ボックス５２ａの内部構成と上下反対且つ向かい合うように設けられている。
【００４９】
（１−６−４．バー退避機構）
図８Ａは、シート材１０１をプレス加工する際のバー５１の状態を示す平面模式図である。図８Ｂは、コイル材１００をプレス加工する際のバー５１の状態を示す平面模式図である。図８Ａおよび図８Ｂでは、スライド４７は点線で示されている。
【００５０】
バー退避機構４９（第２退避機構の一例）は、ムービングボルスタ４２に設けられており、図に示すように、コイル材１００をプレス加工する際に一対のバー５１の中央部５１ｃをプレス加工が行われる加工領域よりも幅方向Ｙ外側に移動させる。ここで、加工領域とは、加工の際にスライド４７およびスライド４７とともに動くダイクランパ８０等の構成が移動する領域のことであり、加工領域の外側とは、幅方向Ｙにおいてスライド４７およびスライド４７とともに動くダイクランパ８０等の構成に干渉しない位置のことである。
【００５１】
ここで、加工領域とスライド４７およびダイクランパ８０の配置について説明する。ダイクランパ８０は、図３に示すようにスライド４７の端に搬送方向Ｘに沿って複数設けられている。図８Ｃは、搬送方向Ｘに沿って視たスライド４７の端近傍を示す図である。スライド４７の下端の幅方向Ｙの外側には、ダイクランパ８０が設けられている。ダイクランパ８０は、ボックス８１と、クランパヘッド８２とを有する。ボックス８１は、スライド４７に固定されている。ボックス８１には、クランパヘッド８２を幅方向Ｙに移動させる駆動手段（スプロケットおよびチェーン等）が配置されている。クランパヘッド８２は、ボックス８１の下側から突出するように設けられており、幅方向Ｙの内側に移動可能である（図８Ｃ矢印参照）。上金型８ａの幅方向Ｙの端には鍔部８８ａが形成されており、クランパヘッド８２は鍔部８８ａの下側に移動する。
【００５２】
鍔部８８ａの下側に配置された状態のクランパヘッド８２に油圧が供給されると、クランパヘッド８２によって上金型８ａがスライド４７に押し付けられ、上金型８ａがスライド４７に固定される。
このように、クランパヘッド８２は、スライド４７の内側の支持位置Ｐ１２と、スライド４７の外側の退避位置Ｐ１３を移動する。
【００５３】
また、金型８（上金型８ａ、下金型８ｂ）には様々な形状のものが存在するため、図８Ａおよび図８Ｂに示すように、複数のクランパヘッド８２のうち支持位置Ｐ１２に移動せずに退避位置Ｐ１３（二点鎖線で示す）に配置されているものが存在する場合がある。図８Ａおよび図８Ｂでは、クランパヘッド８２の位置が丸で示されている。
このため、加工領域とは、ダイクランパ８０を含む領域となり、例えば図８Ａの二点鎖線で示された領域Ｒとなる。
【００５４】
図９は、搬送方向Ｘに沿って視たバー退避機構４９を示す図である。図９に示すように、バー退避機構４９は、バー支持部材６４（支持部材の一例）と、支持部材移動機構６０（支持部材移動機構に一例）とを有する。バー支持部材６４には、バー５１の中央部５１ｃが載置される。支持部材移動機構６０は、バー支持部材６４を幅方向Ｙに移動する。
支持部材移動機構６０は、固定ボックス６１と、スライド基板６２と、ガイドレール６３と、バー支持部材６４（支持部材の一例）と、スライドシリンダ６５等を有している。
【００５５】
固定ボックス６１は、ムービングボルスタ４２の幅方向Ｙの側面に取付けられている。スライド基板６２は、固定ボックス６１の上面に幅方向Ｙに移動自在に設けられている。ガイドレール６３は、固定ボックス６１の上面に幅方向Ｙに沿って設けられており、スライド基板６２と嵌合している。これにより、スライド基板６２はガイドレール６３に沿って移動できる。バー支持部材６４は、スライド基板６２上に固定されている。バー支持部材６４の上面は、凹状に形成されており、バー５１の中央部５１ｃが配置される。バー支持部材６４の凹部の中央には、バネ部材によって上方に付勢されたピン６６が出没自在に設けられている。このピン６６が、バー５１の中央部５１ｃの底面に形成されたピン孔５１ｄに挿入されて、バー５１の中央部５１ｃの位置決めが行われ、横ズレが防止される。
【００５６】
スライドシリンダ６５は、固定ボックス６１内に配置されており、その基端部が固定ボックス６１に固定されている。スライドシリンダ６５のロッド６５ａは、スライド基板６２の下側に形成されたブラケット６２ａに接続されている。スライドシリンダ６５には、ムービングボルスタ４２に供給されているエアの一部が管路６７を介して供給できる。
コイル材１００をプレス加工する際には、図９において実線で示す位置に配置されているバー支持部材６４上に中央部５１ｃが載置される（このときの中央部５１ｃの位置が載置位置Ｐ１４として示されている）。また、この状態の中央部５１ｃが点線で図８Ｄに示されている。仮に、この状態においてプレス加工を行うとすると、バー５１の中央部５１Ｃが、退避位置Ｐ１３に配置されているクランパヘッド８２およびボックス８１と干渉する。なお、図８Ｄに示すように、バー退避機構４９は、搬送方向Ｘにおけるスライド４７の下流側と上流側に配置されているため、ダイクランパ８０と干渉しない。
【００５７】
載置位置Ｐ１４に中央部５１ｃを配置した後、スライドシリンダ６５を伸長することにより、バー支持部材６４が幅方向の外側に移動される。これにより、図９の仮想線で示すように中央部５１ｃを幅方向Ｙにおけるアプライト４５の内側面４５ａより外側の退避位置Ｐ１０に配置することが出来る（矢印Ａ５参照。）。詳細には、中央部５１ｃの内端面５１ｅが、搬送方向Ｘに対して垂直な幅方向Ｙにおいてアプライト４５の内側面４５ａよりも外側に位置する。この移動によって図８（ｂ）の状態となる。これにより、中央部５１ｃは、加工領域よりも外側に位置する。なお、加工領域に干渉しなければ、中央部５１ｃは、その一部がアプライト４５の内側面４５ａよりも内側に突出していてもよい。
【００５８】
（１−６−５．バー５１の第１端部５１ａの退避機構）
上述したようにコイル材１００をプレス加工する際には、バー５１は第１端部５１ａ、中央部５１ｃおよび第２端部５１ｂに分割され、中央部５１ｃは、バー退避機構４９によって退避させられる。一方、プレス装置４の上流側には、コイル材１００の先端をプレス装置４に送り込むためにフィーダ２４の先端が進入する。そのため、フィーダ２４の先端が進入する空間を確保するために、第１端部５１ａはリフト駆動機構５３によって上方に移動する。このように、リフト駆動機構５３は、第１端部５１ａを退避する機構も兼ねており、第１退避機構の一例に対応する。
【００５９】
なお、第２端部５１ｂは、コイル材１００の搬送に干渉しないように例えば幅方向Ｙの最外位置に配置される。
以上のように、シート材１０１のプレス加工を行う際にシート材１０１の搬送に用いられるバー５１の第１端部５１ａが上方の退避位置Ｐ１１に移動し、バー５１の中央部５１ｃをプレス加工領域の外側の退避位置Ｐ１０に移動させることによって、トランスファプレスであるプレス装置４においてコイル材１００のプレス加工を行うことが可能となる。
なお、退避位置Ｐ１１は、大抵の場合、シート材１０１の搬送時の動作におけるバー５１の最上位置よりも上方に位置するが、交換前および交換後の金型の形状によっては、この限りではない。
【００６０】
（１−６−６．プレス制御部）
プレス制御部４０は、スライド４７を昇降移動させるスライド駆動部４８、プレス装置４内においてシート材１０１を搬送する搬送機構４３、および中央部５１ｃをプレス領域外に退避させるバー退避機構４９の制御を行う。
【００６１】
＜２．動作＞
次に、本実施の形態のプレスシステム１の動作について説明するとともに、本発明のプレス装置の制御方法の一例についても述べる。図１０は、本実施の形態のプレスシステム１の動作を示すフロー図である。図１１（ａ）〜（ｄ）は、動作を説明するためのプレスシステム１の状態を示す模式図である。
【００６２】
以下に、シート材１０１のプレス加工の終了後にコイル材１００のプレス加工を行うまでの動作について説明する。
シート材１０１のプレス加工では、図１１（ａ）に示すようにディスタッカユニット３が使用位置Ｐ３に配置されており、フィーダユニット２３が図２に示す退避位置Ｐ４に配置されている。
【００６３】
はじめに、ステップＳ１０において、バー５１の中央部５１ｃがバー支持部材６４に載置され、ムービングボルスタ４２がプレス位置Ｐ６から金型交換位置Ｐ７に移動される。
次に、ステップＳ２０において、システム制御部１０から信号を受信したプレス制御部４０は、バー退避機構４９を制御して中央部５１ｃを幅方向Ｙの外側に移動する。金型交換位置Ｐ７では、例えばコイル材１００をプレス加工するための金型に載せかえられるが、中央部５１ｃを外側に退避させることによって、金型交換作業の際に中央部５１ｃと金型との接触を防ぐことが出来る。なお、中央部５１ｃの外側への移動は、上記ムービングボルスタ４２を金型交換位置Ｐ７に移動させる前にプレス位置Ｐ６において行われてもよい。
【００６４】
次に、ステップＳ３０において、システム制御部１０からの指示を受けてプレス制御部４０は、金型が交換されたムービングボルスタ４２を金型交換位置Ｐ７からプレス位置Ｐ６へと移動する。ここで、中央部５１ｃは外側に移動されているため、プレス位置Ｐ６に配置された状態において、図８（ｂ）に示すように、アプライト４５の内側面４５ａよりも幅方向Ｙにおける外側に位置することなり、退避位置Ｐ１０に配置されている。なお、ムービングボルスタ４２が２台設けられている場合には、一方のムービングボルスタ４２によってプレス加工が行われている間に、金型交換作業が行われる。なお、ステップＳ１０、Ｓ２０、およびＳ３０が、本発明の第２退避ステップの一例に対応する。
【００６５】
次に、ステップＳ４０において、使用者の操作などに基づいて、システム制御部１０は、ディスタッカユニット移動機構６に信号を送信してモータ９７を制御し、ディスタッカユニット３を使用位置Ｐ３から退避位置Ｐ５に移動させる。なお、ステップＳ４０は、ステップＳ１０と同時に行われてもよい。
次に、ステップＳ５０において、システム制御部１０は、フィーダユニット移動機構５に信号を送信してモータ９３を制御し、フィーダユニット２３を退避位置Ｐ４から使用位置Ｐ３に移動する。この状態が、図１１（ｂ）に示されている。
【００６６】
次に、ステップＳ６０において、システム制御部１０から信号を受信したプレス制御部４０は、ボックス５２ａに配置されているリフト駆動機構５３を制御して第１端部５１ａを上方に引き上げる。これによって、第１端部５１ａが退避位置Ｐ１１に配置される。なお、ステップＳ６０は、ステップＳ１０において中央部５１ｃをバー支持部材６４に配置した際に行われてもよい。この状態が、図１１（ｃ）に示されている。また、ステップＳ６０は、本発明の第１退避ステップの一例に対応する。
【００６７】
次に、ステップＳ７０において、プレス制御部４０は、第１端部５１ａの退避位置Ｐ１１への移動が完了したことを示す信号を、システム制御部１０を介してコイルライン制御部２０へと送信する。ステップＳ７０が、本発明の発信ステップの一例に対応する。
次に、ステップＳ８０において、システム制御部１０から信号を受信したコイルライン制御部２０は、モータ２５３を駆動してフィーダ２４を台座２６に対して搬送方向Ｘに移動させる。これによって、フィーダ２４の先端がプレス装置４内に進入しムービングボルスタ４２の上流側近傍に位置する。この状態が、図１１（ｄ）に示されている。
【００６８】
以上の動作によって、コイル材１００の先端をプレス装置４に送り込むことが可能な状態となり、次に、コイルライン２からコイル材１００をプレス装置４に供給することによって、コイル材１００のプレス加工が行われる。
また、コイル材１００の末端をプレス装置４内に送り込む際には、フィーダ２４はプレス装置４に進入しムービングボルスタ４２の上流近傍に移動する（図１１（ｄ）と同様の状態）。
【００６９】
また、コイル材１００によるプレス加工後、シート材１０１によるプレス加工を行う際には、上記と逆の手順が行われる。
以上のように、シート材１０１のプレス加工を行う際にシート材１０１の搬送に用いられるバー５１の第１端部５１ａが上方の退避位置Ｐ１１に移動し、バー５１の中央部５１ｃをプレス加工領域の外側の退避位置Ｐ１０に移動させることによって、トランスファプレスであるプレス装置４においてコイル材１００の端末処理が可能となる。
また、プレス装置４の上流側に設けられた第１端部５１ａを上方に移動させているため、幅を広げることなくコンパクトな構成でフィーダ２４が進入可能な空間を確保することができる。
【００７０】
＜３．特徴等＞
（３−１）
本実施の形態のプレス装置４は、コイル材１００およびシート材１０１の一方の素材を選択的にプレス加工可能なプレス装置４であって、一対のバー５１と、リフト駆動機構５３（第１退避機構の一例）とを備える。一対のバー５１は、中央部５１ｃ（保持部の一例）と、第１端部５１ａと、第２端部５１ｂと、を有する。中央部５１ｃ（保持部の一例）は、シート材１０１を保持可能である。第１端部５１ａは、素材の搬送方向Ｘにおける中央部５１ｃの上流側であって中央部５１ｃと着脱可能である。第２端部５１ｂは、搬送方向Ｘにおける中央部５１ｃの下流側であって中央部５１ｃと着脱可能である。リフト駆動機構５３は、コイル材１００のプレス加工を行う際に、第１端部５１ａを上方の退避位置Ｐ１１（第１退避位置の一例）に移動させる。
【００７１】
上記構成により、リフト駆動機構５３によって一対のバー５１の上流側の第１端部５１ａを上方に退避することができる。このため、第１端部５１ａの下方にフィーダ２４が進入可能な空間が形成され、ムービングボルスタ４２の上流近傍までフィーダ２４の先端を位置させることができコイル材１００の端末処理が可能となる。
以上のように、第１端部５１ａを退避させることによって、バー５１とフィーダ２４との干渉を避けることができるため、コイル材１００のプレス加工を行う際にフィーダ２４をプレス装置４内に進入させることが可能となる。また、第１端部５１ａを上方に退避させているため、プレス装置４の幅を必要幅（プレス加工する素材の幅などから決定される幅）以上に広くする必要がない。そのため、コンパクトな構成でコイル材１００およびシート材１０１をプレス加工可能となる。
【００７２】
（３−２）
本実施の形態のプレス装置４は、バー退避機構４９（第２退避機構の一例）を更に備える。バー退避機構４９は、コイル材１００のプレス加工を行う際に、一対のバー５１の中央部５１ｃをプレス加工が行われる領域の外側の退避位置Ｐ１０（第２退避位置の一例）に退避させる。
【００７３】
ここで、第１端部５１ａ、中央部５１ｃ、および第２端部５１ｂを連結させたまま退避位置Ｐ１０にまとめて移動させる方法も考えられるが、その場合、中央部１０ｃの位置が通常加工位置より高くなり、スライド４７と干渉する可能性がある。
対して、バー５１の中央部５１ｃをプレス加工する領域から退避することができ、コイル材１００のプレス加工を行うことが可能となる。
【００７４】
（３−３）
本実施の形態のプレス装置４は、ムービングボルスタ４２を更に備える。ムービングボルスタ４２には、バー退避機構４９（第２退避機構の一例）が設けられ、プレス加工が実施されるプレス位置Ｐ６と金型８の交換が実施される金型交換位置Ｐ７との間を移動可能である。バー退避機構４９は、バー支持部材６４（支持部材の一例）と、支持部材移動機構６０と、を有する。バー支持部材６４は、バー５１の中央部５１ｃを支持する。支持部材移動機構６０は、バー支持部材６４をプレス加工が行われる領域の外側に移動させる。
ここで、金型交換の際には、シート材１０１を保持するフィンガー１０２も交換することが多いためバー５１の中央部５１ｃを金型８とともにムービングボルスタ４２によって金型交換位置Ｐ７に移動するが、この際に中央部５１ｃを支持する支持部材としてバー退避機構４９を用いることができる。
【００７５】
（３−４）
本実施の形態のプレス装置４は、スライド４７と、クラウン４６と、複数のアプライト４５と、を更に備える。スライド４７は、上金型８ａが下面に取り付け可能である。クラウン４６は、スライド４７の上方に配置され、スライド４７を昇降可能に支持する。複数のアプライト４５は、クラウン４６をスライド４７の上方に支持する。図９に示すように、退避位置Ｐ１０（第２退避位置の一例）は、搬送方向Ｘに対して垂直な幅方向においてアプライト４５の内側面４５ａよりも外側に位置する。
これにより、バー５１の中央部５１ｃをプレス加工する領域から退避することができ、コイル材１００のプレス加工を行うことが可能となる。
【００７６】
（３−５）
本実施の形態のプレス装置４は、リフト駆動機構５３を更に備える。リフト駆動機構５３は、第１端部５１ａの上側に配置されており、シート材１０１の搬送を行う際に一対のバー５１の第１端部５１ａを上下方向に移動する。リフト駆動機構５３は、第１退避機構を兼ねており、コイル材１００のプレス加工を行う際に、第１端部５１ａを上方の退避位置Ｐ１１（第１退避位置の一例）に移動させる。
このように、バー５１のリフト駆動機構５３を用いてバー５１の第１端部５１ａを上方に退避させることができる。
【００７７】
（３−６）
本実施の形態のプレス装置４の制御方法は、コイル材１００およびシート材１０１の一方の素材を選択的にプレス加工可能なプレス装置の制御方法であって、ステップＳ６０（第１退避ステップの一例）と、ステップＳ７０（発信ステップの一例）と、を備える。ステップＳ６０（第１退避ステップの一例）は、コイル材１００のプレス加工を行う際に、シート材１０１を保持する中央部５１ｃ（保持部の一例）と、素材の搬送方向Ｘにおける中央部５１ｃの上流側であって中央部５１ｃと連結および分離可能な第１端部５１ａと、搬送方向Ｘにおける中央部５１ｃの下流側であって中央部５１ｃと連結および分離可能な第２端部５１ｂと、を有する一対のバー５１の第１端部５１ａを上方の退避位置Ｐ１１（第１退避位置の一例）に移動させる。ステップＳ７０（発信ステップの一例）は、ステップＳ６０（第１退避ステップの一例）が完了すると、コイル材１００をプレス装置４に供給するフィーダ２４をプレス装置４に進入させるトリガーとしての信号を発信する。
【００７８】
上記動作により、一対のバー５１の上流側の第１端部５１ａを上方に退避することができる。このため、第１端部５１ａの下方にフィーダ２４が進入可能な空間が形成され、ムービングボルスタ４２の上流近傍までフィーダ２４が進入できコイル材１００の端末処理が可能となる。
以上のように、第１端部５１ａを退避させることによって、バー５１とフィーダ２４との干渉を避けることができるため、コイル材１００のプレス加工を行う際にフィーダ２４をプレス装置４内に進入させることが可能となる。また、第１端部５１ａを上方に退避させているため、プレス装置４の幅を必要幅（プレス加工する素材の幅などから決定される）以上に広くする必要がない。そのため、コンパクトな構成でコイル材１００およびシート材１０１をプレス加工可能となる。
【００７９】
（３−７）
本実施の形態のプレス装置４の制御方法は、ステップＳ１０、Ｓ２０、およびＳ３０（第２退避ステップの一例）を更に備える。ステップＳ１０、Ｓ２０、およびＳ３０は、コイル材１００のプレス加工を行う際に、一対のバー５１の中央部５１ｃをプレス加工が行われる領域の外側の退避位置Ｐ１０（第２退避位置の一例）に退避させる。
これにより、バー５１の中央部５１ｃをプレス加工する領域から退避することができ、コイル材１００のプレス加工を行うことが可能となる。
【００８０】
＜４．他の実施の形態＞
以上、本発明の一実施形態について説明したが、本発明は上記実施形態に限定されるものではなく、発明の要旨を逸脱しない範囲で種々の変更が可能である。
【００８１】
（Ａ）
上記実施の形態では、リフト駆動機構５３が第１端部５１ａを退避位置Ｐ１１に移動させているが、第１端部５１ａは、ボックス５２ａごと上方に移動してもよい。すなわち、ボックス５２ａ、リフト駆動機構５３、およびクランプ駆動機構５４が、上下方向に沿って移動させてもよい。ボックス５２ａを上下方向に移動する構成としては様々な構成を用いることが可能であり、例えば、油圧シリンダや、ボールネジの構成を用いることができる。
【００８２】
（Ｂ）
上記実施の形態では、バー５１がフィード方向Ｘに移動しているが、バー５１の全体は動かず、バー５１の上部に設けられたスライドプレートのみがフィード方向Ｘに移動する構成であってもよい。
（Ｃ）
上記実施の形態では、ボックス５２ｂは第２端部５１ｂの下方に配置されているが、ボックス５２ａと同様に、第２端部５１ｂの上方に配置されていてもよい。
【００８３】
（Ｄ）
上記実施の形態におけるバー退避機構４９では、バー支持部材６４はスライドシリンダ６５によって自動で移動可能に構成されているが、使用者の押釦の操作によってバー支持部材６４が外側に移動する方がより好ましい。また、バー支持部材６４は、手動で移動可能に構成されてもよい。また、上記実施の形態のフィーダユニット移動機構５、ディスタッカユニット移動機構６、およびフィーダ移動機構２５はモータによって自動で駆動可能に構成されているが、手動であってもよい。
なお、手動の移動を可能にする場合には、インターロックが設けられている方が好ましい。
【００８４】
（Ｅ）
上記実施の形態では、コイルライン２のコイルライン制御部２０と、プレス装置４のプレス制御部４０と、ディスタッカユニット３のディスタッカ制御部３０は、システム制御部１０とともに制御装置９に設けられているが、コイルライン制御部２０、プレス制御部４０、およびディスタッカ制御部３０が単独で設けられていてもよい。例えば、コイルライン２、プレス装置４、ディスタッカユニット３のそれぞれに制御装置が設けられており、その制御装置内にそれぞれの制御部が設けられていてもよい。
【産業上の利用可能性】
【００８５】
本発明のプレス装置によれば、コンパクトな構成でコイル材およびシート材をプレス加工することが可能な効果を有し、例えばコイルラインおよびディスタッカなどを有するプレスシステム等として有用である。
【符号の説明】
【００８６】
１                          ：プレスシステム
４                          ：プレス装置
４９                        ：バー退避機構４９（第２退避機構の一例）
５１                        ：バー
５１ａ                      ：第１端部
５１ｂ                      ：第２端部
５１ｃ                      ：中央部（保持部の一例）
５３                        ：リフト駆動機構（第１退避機構の一例）
５４                        ：クランプ駆動機構
５５                        ：フィード駆動機構
６０                        ：支持部材移動機構
６４                        ：バー支持部材（支持部材の一例）
１００                      ：コイル材
１０１                      ：シート材
１０２                      ：フィンガー
Ｐ１１                      ：退避位置
【図１】
2018103259.tif 000003
【図２】
2018103259.tif 000004
【図３】
2018103259.tif 000005
【図４】
2018103259.tif 000006
【図５】
2018103259.tif 000007
【図６】
2018103259.tif 000008
【図７】
2018103259.tif 000009
【図８Ａ】
2018103259.tif 000010
【図８Ｂ】
2018103259.tif 000011
【図８Ｃ】
2018103259.tif 000012
【図８Ｄ】
2018103259.tif 000013
【図９】
2018103259.tif 000014
【図１０】
2018103259.tif 000015
【図１１】
2018103259.tif 000016